(57)【要約】【課題】医師がＲＩＳのオーダ情報として指示した作業が実施不適な場合に、現場での状況に応じて技師（オペレータ）側で容易に変更できるようにする。【解決手段】第１ホストコンソール１６Ａのコンソール選択部２０６は、撮影指示情報メモリ２０４に記憶された撮影指示情報において指定された撮影装置が使用可能状態でない場合に、使用可能状態である他の撮影装置を検索する第１検索部２４８と、検索部による検索処理が必要かどうかを判別する判別部２５０と、放射線画像情報に対する画像処理（補正処理等）を行うことができるコンソールを検索する第２検索部２５１とを有する。「撮影指示情報において指定された撮影装置が使用可能状態でない」とは、判別部２５０にて、撮影装置が使用可能状態でないと判別された場合と、指定された撮影装置を、技師が入力操作部２０２を通じて使用しないことを示す入力を行った場合等がある。【選択図】図６
2009247454.tif 000002
【特許請求の範囲】
【請求項１】
放射線撮影によって被写体を透過した放射線を検出し、放射線画像情報に変換する放射線変換パネルを使用した撮影装置を１つ以上と、
放射線撮影によって被写体を透過した放射線を検出し、放射線画像情報に変換して担持する蓄積性蛍光体パネルを使用し、画像読取装置にて前記放射線画像情報が読み取られる撮影装置を１つ以上と、
外部から供給された撮影指示情報に基づいて少なくとも前記複数の撮影装置、前記画像読取装置を制御する１以上の制御装置とを有し、
前記制御装置は、
前記複数の撮影装置、前記画像読取装置の使用可能状態に応じて前記撮影指示情報を変更設定する変更設定部と、
変更設定された前記撮影指示情報に基づいて前記複数の撮影装置、画像読取装置を制御する制御部とを有する放射線画像撮影システム。
【請求項２】
請求項１記載の放射線画像撮影システムにおいて、
前記制御装置は、
外部から供給された前記撮影指示情報において指定された撮影装置、画像読取装置が使用可能状態であるかを判別する判別部と、
前記指定された撮影装置、画像読取装置が使用可能状態でないと判別された場合に、使用可能状態である他の撮影装置、他の画像読取装置を検索する検索部とを有し、
前記変更設定部は、前記撮影指示情報において指定された撮影装置、画像読取装置として、前記検索部にて検索された前記他の撮影装置、前記他の画像読取装置に変更設定することを特徴とする放射線画像撮影システム。
【請求項３】
請求項２記載の放射線画像撮影システムにおいて、
前記検索部にて検索された前記他の撮影装置、前記他の画像読取装置が複数存在する場合に、
前記変更設定部は、予め設定された優先度に基づいて前記他の撮影装置、前記他の画像読取装置を特定して前記撮影指示情報を変更設定することを特徴とする放射線画像撮影システム。
【請求項４】
請求項２記載の放射線画像撮影システムにおいて、
前記検索部にて検索された前記他の撮影装置、前記他の画像読取装置が複数存在する場合に、
前記変更設定部は、前記撮影指示情報において指定された撮影装置、画像読取装置として、前記検索部にて検索された複数の前記他の撮影装置、前記他の画像読取装置に変更設定することを特徴とする放射線画像撮影システム。
【請求項５】
請求項１〜４のいずれか１項に記載の放射線画像撮影システムにおいて、
変更設定された前記他の撮影装置、前記他の画像読取装置は、前記撮影指示情報において指示された撮影装置、画像読取装置の画像仕様に応じた画像処理を行うように自動的に変更されることを特徴とする放射線画像撮影システム。
【請求項６】
放射線撮影によって被写体を透過した放射線を検出し、放射線画像情報に変換する放射線変換パネルを使用した撮影装置を１つ以上と、
放射線撮影によって被写体を透過した放射線を検出し、放射線画像情報に変換して担持する蓄積性蛍光体パネルを使用した撮影装置を１つ以上と、
前記蓄積性蛍光体パネルに担持された放射線画像情報を読み取って出力、あるいは読み取った放射線画像情報を画像処理して出力する画像読取装置を１つ以上と、
前記複数の撮影装置に対応して設置され、対応する前記撮影装置、前記画像読取装置を制御し、それぞれ前記撮影装置、前記画像読取装置にて取得した放射線画像情報の少なくとも補正処理を行う複数の処理装置と、
外部から供給された撮影指示情報に基づいて少なくとも前記複数の処理装置を制御する１以上の制御装置とを有し、
前記制御装置は、
前記撮影装置にて取得した放射線画像情報を、対応する前記処理装置、前記画像読取装置が補正処理できない場合に、他の処理装置又は画像読取装置にて補正処理を行うように制御する補正制御部を有する放射線画像撮影システム。
【発明の詳細な説明】
【技術分野】
【０００１】
本発明は、仕様形態の異なる撮影装置を撮影指示情報に従って選択した処理装置により制御し、放射線画像の撮影を行う放射線画像撮影システムに関する。
【背景技術】
【０００２】
医療分野において、被写体に放射線を照射し、被写体を透過した放射線を放射線変換パネルに導いて放射線画像を撮影する撮影装置が広汎に使用されている。
【０００３】
この場合、放射線変換パネルとして、蛍光体に放射線画像としての放射線エネルギを蓄積し、励起光を照射することで放射線画像を輝尽発光光として取り出すことのできる蓄積性蛍光体パネルが知られている。放射線画像が記録された蓄積性蛍光体パネルは、読取装置に供給して読取処理を行うことで、可視画像としての放射線画像を得ることができる。
【０００４】
また、手術室等の医療現場においては、患者に対して迅速且つ的確な処置を施すため、放射線変換パネルから直ちに放射線画像情報を読み出して表示できることが要求される。このような要求に対応可能な放射線変換パネルとして、放射線を直接電気信号に変換し、あるいは、放射線をシンチレータで可視光に変換した後、電気信号に変換して読み出す固体撮像素子を用いた放射線変換パネルが開発されている。
【０００５】
これらの放射線変換パネルを使用して放射線画像を撮影する撮影装置には、被写体である患者の状態や、撮影部位等の撮影条件に応じた仕様形態の異なる種々のものがあり、それぞれが撮影装置の仕様形態に対応した仕様形態からなる処理装置によって制御される。これらの撮影装置及び処理装置を院内ネットワークを介して放射線科情報システム（ＲＩＳ）に接続し、ＲＩＳで設定した患者情報、撮影方法、撮影部位、放射線の照射線量を規定する撮影条件等の撮影指示情報を処理装置に供給し、対応する撮影装置を用いて放射線画像の撮影を行うようにしたシステムがある（特許文献１参照）。
【０００６】
【特許文献１】特開２００６−２４７１３７号公報
【発明の開示】
【発明が解決しようとする課題】
【０００７】
ところで、医師がＲＩＳのオーダ情報として指示した作業が実施不適な場合に、現場での状況に応じて技師（オペレータ）側で変更できることが好ましい。
【０００８】
しかし、従来の放射線画像撮影システムにおいては、ＲＩＳ若しくはコンソールにてオーダ情報の入力が可能であるが、一旦受けた情報の変更については考慮していない。
【０００９】
また、蓄積性蛍光体パネルと固体撮像素子とを処理することができる混在システムの場合は、ＲＩＳから受けたオーダ情報の一部を現場の状況にあわせて変更する必要が出てくるおそれがある。すなわち、従来は、送られたオーダ情報に従って作業をすればよかったが、混在システムでは、蓄積性蛍光体パネルと固体撮像素子のどちらを使うか等を現場で変更する必要が生じるおそれがある。
【００１０】
例えば医師が固体撮像素子での撮影を指示しても、患者の容態によって撮影困難な場合（例えば、車椅子の患者の撮影をする場合、固体撮像素子方式の撮影台の稼動範囲に届かず、蓄積性蛍光体パネルを有するカセッテを用いた撮影しかできない等）があり、このようなケースでは、技師（オペレータ）側で変更できることが好ましい。
【００１１】
ただ、技師（オペレータ）側で変更できるようにすると、以下に示すような問題が発生する。
【００１２】
すなわち、従来のシステムでは、撮影装置と該撮影装置を制御する処理装置が一対となって構成され、撮影装置にて取得した放射線画像情報を対応する処理装置で画像補正を行うようにしている。撮影装置と該撮影装置の組み合わせが複数になり、しかも、例えば使い勝手の容易さ等から蓄積性蛍光体パネルを有するカセッテの使用頻度が上がってくると、該カセッテを制御する処理装置への放射線画像情報の供給が増加し、補正処理を待たなければならず、医師に補正後の放射線画像情報が届くまでに長時間かかるという問題が発生する。
【００１３】
本発明はこのような課題を考慮してなされたものであり、撮影指示情報の共有化を図ることができ、医師がＲＩＳのオーダ情報として指示した作業が実施不適な場合に、現場での状況に応じて技師（オペレータ）側で容易に変更することができる放射線画像撮影システムを提供することを目的とする。
【００１４】
また、本発明の他の目的は、放射線画像情報に対する画像処理（補正処理等）の共有化を図ることができ、撮影装置にて取得した放射線画像情報に対する補正処理を、該撮影装置に対応する処理装置のほか、他の処理装置でも行うことができ、撮影装置と処理装置の組み合わせが複数になっても、補正処理の待ち時間を大幅に短縮することができる放射線画像撮影システムを提供することにある。
【課題を解決するための手段】
【００１５】
第１の本発明に係る放射線画像撮影システムは、放射線撮影によって被写体を透過した放射線を検出し、放射線画像情報に変換する放射線変換パネルを使用した撮影装置を１つ以上と、
放射線撮影によって被写体を透過した放射線を検出し、放射線画像情報に変換して担持する蓄積性蛍光体パネルを使用し、画像読取装置にて前記放射線画像情報が読み取られる撮影装置を１つ以上と、
外部から供給された撮影指示情報に基づいて少なくとも前記複数の撮影装置、前記画像読取装置を制御する１以上の制御装置とを有し、
前記制御装置は、
前記複数の撮影装置、前記画像読取装置の使用可能状態に応じて前記撮影指示情報を変更設定する変更設定部と、
変更設定された前記撮影指示情報に基づいて前記複数の撮影装置、画像読取装置を制御する制御部とを有することを特徴とする。
【００１６】
次に、第２の本発明に係る放射線画像撮影システムは、放射線撮影によって被写体を透過した放射線を検出し、放射線画像情報に変換する放射線変換パネルを使用した撮影装置を１つ以上と、
放射線撮影によって被写体を透過した放射線を検出し、放射線画像情報に変換して担持する蓄積性蛍光体パネルを使用した撮影装置を１つ以上と、
前記蓄積性蛍光体パネルに担持された放射線画像情報を読み取って出力、あるいは読み取った放射線画像情報を画像処理して出力する画像読取装置を１つ以上と、
前記複数の撮影装置に対応して設置され、対応する前記撮影装置、前記画像読取装置を制御し、それぞれ前記撮影装置、前記画像読取装置にて取得した放射線画像情報の少なくとも補正処理を行う複数の処理装置と、
外部から供給された撮影指示情報に基づいて少なくとも前記複数の処理装置を制御する１以上の制御装置とを有し、
前記制御装置は、
前記撮影装置にて取得した放射線画像情報を、対応する前記処理装置、前記画像読取装置が補正処理できない場合に、他の処理装置又は画像読取装置にて補正処理を行うように制御する補正制御部を有することを特徴とする。
【発明の効果】
【００１７】
以上説明したように、本発明に係る放射線画像撮影システムによれば、撮影指示情報の共有化を図ることができ、医師がＲＩＳのオーダ情報として指示した作業が実施不適な場合に、現場での状況に応じて技師（オペレータ）側で容易に変更することができる。
【００１８】
また、放射線画像情報に対する画像処理（補正処理等）の共有化を図ることができ、撮影装置にて取得した放射線画像情報に対する補正処理を、該撮影装置に対応する処理装置のほか、他の処理装置でも行うことができ、撮影装置と処理装置の組み合わせが複数になっても、補正処理の待ち時間を大幅に短縮することができる。
【発明を実施するための最良の形態】
【００１９】
以下、本発明に係る放射線画像撮影システムの実施の形態例を図１〜図１０を参照しながら説明する。
【００２０】
本実施形態の放射線画像撮影システム１０は、図１に示すように、病院内の医療事務処理を管理する医事情報システム１２（ＨＩＳ：Ｈｏｓｐｉｔａｌ  Ｉｎｆｏｒｍａｔｉｏｎ  Ｓｙｓｔｅｍ）と、ＨＩＳ１２の管理下において、放射線科での放射線画像の撮影処理を管理する放射線科情報システム１４（ＲＩＳ：Ｒａｄｉｏｌｏｇｙ  Ｉｎｆｏｒｍａｔｉｏｎ  Ｓｙｓｔｅｍ）（供給装置）と、医師による診断読影を行うためのビューア１５と、放射線科の撮影室に隣接する処理室に設置され、それぞれ仕様形態の異なる各種撮影装置を管理制御する第１ホストコンソール１６Ａ（制御装置）及び第２ホストコンソール１６Ｂ（制御装置）とを有する。
【００２１】
また、放射線画像撮影システム１０は、処理室に設置され、特定の撮影装置を管理制御する第１コンソール１８Ａ（処理装置）及び第２コンソール１８Ｂ（処理装置）と、第１コンソール１８Ａにより制御される第１撮影装置２０Ａと、第２コンソール１８Ｂにより制御される第２撮影装置２０Ｂと、第２コンソール１８Ｂにより制御され、第２撮影装置２０Ｂにより撮影された放射線画像情報を読み取る第１読取装置２２Ａとを有し、これら第１コンソール１８Ａ及び第２コンソール１８Ｂは、第１ホストコンソール１６Ａによって制御される。
【００２２】
また、放射線画像撮影システム１０は、処理室に設置され、特定の撮影装置を管理制御する第３コンソール１８Ｃ（処理装置）及び第４コンソール１８Ｄ（処理装置）と、第３コンソール１８Ｃにより制御される第３撮影装置２０Ｃと、第４コンソール１８Ｄにより制御される第４撮影装置２０Ｄと、第４コンソール１８Ｄにより制御され、第４撮影装置２０Ｄにより撮影された放射線画像情報を読み取る第２読取装置２２Ｂとを有し、これら第３コンソール１８Ｃ及び第４コンソール１８Ｄは、第２ホストコンソール１６Ｂによって制御される。
【００２３】
上述した各装置は院内ネットワーク２４によって相互に接続されている。院内ネットワーク２４には、必要に応じてさらに他のコンソール、撮影装置等を接続することができる。
【００２４】
第１ホストコンソール１６Ａは、ＨＩＳ１２を用いて設定した患者の氏名、性別、年齢等の患者情報、ＲＩＳ１４を用いて医師又は技師が設定した当該患者に対する放射線画像の撮影方法、撮影部位、撮影に使用する撮影装置、さらには、必要に応じて、使用する撮影装置を構成する放射線源に設定する管電圧、管電流、放射線の照射時間等の撮影条件を含む撮影指示情報を院内ネットワーク２４を介して取得し、これらの情報を対応する第１コンソール１８Ａ又は第２コンソール１８Ｂに供給する。
【００２５】
第２ホストコンソール１６Ｂも同様に、ＨＩＳ１２を用いて設定した患者の氏名、性別、年齢等の患者情報、ＲＩＳ１４を用いて医師又は技師が設定した当該患者に対する放射線画像の撮影方法、撮影部位、撮影に使用する撮影装置、さらには、必要に応じて、使用する撮影装置を構成する放射線源に設定する管電圧、管電流、放射線の照射時間等の撮影条件を含む撮影指示情報を院内ネットワーク２４を介して取得し、これらの情報を対応する第３コンソール１８Ｃ又は第４コンソール１８Ｄに供給する。
【００２６】
また、第１ホストコンソール１６Ａは、第１コンソール１８Ａ又は第２コンソール１８Ｂによる処理を代行することもでき、同様に、第２ホストコンソール１６Ｂは、第３コンソール１８Ｃ又は第４コンソール１８Ｄによる処理を代行することもできる。従って、第１コンソール１８Ａ又は第２コンソール１８Ｂを第１ホストコンソール１６Ａに置き換えたり、第３コンソール１８Ｃ又は第４コンソール１８Ｄを第２ホストコンソール１６Ｂに置き換えることで、より安価なシステム構成とすることができる。第１ホストコンソール１６Ａ及び第２コンソール１８Ｂには、第２撮影装置２０Ｂに適用される蓄積性蛍光体パネルを特定するためのＩＤ情報を取得する第１バーコードリーダ２６Ａ及び第２バーコードリーダ２６Ｂが接続され、第２ホストコンソール１６Ｂ及び第４コンソール１８Ｄには、第４撮影装置２０Ｄに適用される蓄積性蛍光体パネルを特定するためのＩＤ情報を取得する第３バーコードリーダ２６Ｃ及び第４バーコードリーダ２６Ｄが接続される。なお、図２には、図示を簡略化するために、第２ホストコンソール１６Ｂ、第３コンソール１８Ｃ、第４コンソール１８Ｄ、第３撮影装置２０Ｃ、第４撮影装置２０Ｄ、第２読取装置２２Ｂ、第３バーコードリーダ２６Ｃ、第４バーコードリーダ２６Ｄの記載を省略している。
【００２７】
ここで、代表的に第１撮影装置２０Ａ、第２撮影装置２０Ｂ及び第１読取装置２２Ａについて図２〜図５を参照しながら説明する。
【００２８】
第１撮影装置２０Ａは、被写体５０の胸部等の放射線画像を撮影する立位撮影装置であり、放射線源制御部６６（図３参照）によって制御される放射線源６４と、後述する固体撮像素子を用いた放射線変換パネル７０を収納し、放射線源６４に対向して配置される撮影台６０と、撮影処理に必要な情報を表示する表示部６２とを備えて構成される。なお、放射線源制御部６６は、第１ホストコンソール１６Ａにより設定された撮影条件に従って放射線源６４を駆動制御する。
【００２９】
図４は、撮影台６０に収納される放射線変換パネル７０の回路構成を示す。
【００３０】
放射線変換パネル７０は、放射線を感知して電荷を発生させるアモルファスセレン（ａ−Ｓｅ）等の物質からなる光電変換層７２を行列状の薄膜トランジスタ（ＴＦＴ：Ｔｈｉｎ  Ｆｉｌｍ  Ｔｒａｎｓｉｓｔｏｒ）７４のアレイの上に配置した構造を有し、発生した電荷を蓄積容量７６に蓄積した後、各行毎にＴＦＴ７４を順次オンにして、電荷を画像信号として読み出す。図４では、光電変換層７２及び蓄積容量７６からなる１つの画素７８と１つのＴＦＴ７４との接続関係のみを示し、その他の画素７８の構成については省略している。なお、アモルファスセレンは、高温になると構造が変化して機能が低下してしまうため、所定の温度範囲内で使用する必要がある。従って、撮影台６０内に放射線変換パネル７０を冷却する手段を配設することが好ましい。
【００３１】
各画素７８に接続されるＴＦＴ７４には、行方向と平行に延びるゲート線８０と、列方向と平行に延びる信号線８２とが接続される。各ゲート線８０は、ライン走査駆動部８４に接続され、各信号線８２は、読取回路を構成するマルチプレクサ８６に接続される。
【００３２】
ゲート線８０には、行方向に配列されたＴＦＴ７４をオンオフ制御する制御信号Ｖｏｎ、Ｖｏｆｆがライン走査駆動部８４から供給される。この場合、ライン走査駆動部８４は、ゲート線８０を切り替える複数のスイッチＳＷ１と、スイッチＳＷ１の１つを選択する選択信号を出力するアドレスデコーダ８８とを備える。アドレスデコーダ８８には、制御部１００からアドレス信号が供給される。
【００３３】
また、信号線８２には、列方向に配列されたＴＦＴ７４を介して各画素７８の蓄積容量７６に保持されている電荷が流出する。この電荷は、増幅器９２によって増幅される。増幅器９２には、サンプルホールド回路９４を介してマルチプレクサ８６が接続される。マルチプレクサ８６は、信号線８２を切り替える複数のスイッチＳＷ２と、スイッチＳＷ２の１つを選択する選択信号を出力するアドレスデコーダ９６を備える。アドレスデコーダ９６には、制御部１００からアドレス信号が供給される。マルチプレクサ８６には、Ａ／Ｄ変換器９８が接続され、Ａ／Ｄ変換器９８によってデジタル信号に変換された放射線画像情報が制御部１００に供給される。制御部１００は、取得した放射線画像情報を院内ネットワーク２４を介して、第１撮影装置２０Ａを制御する第１コンソール１８Ａに供給する。
【００３４】
第２撮影装置２０Ｂは、被写体５０の胸部を含む広範囲の放射線画像を撮影する臥位撮影装置であり、放射線源制御部１０２（図３参照）によって制御される放射線源１０４と、放射線源１０４に対向して配置される撮影台１０８とを備えて構成される。撮影台１０８の側部には、蓄積性蛍光体パネルＰを収納したカセッテ１１０の装填されるスロット１１２が配設され、このスロット１１２に近接して、第２撮影装置２０Ｂが現在選択されていることを示す表示部１１３が配設される。第２撮影装置２０Ｂは、院内ネットワーク２４を介して第２コンソール１８Ｂにより制御される。第２撮影装置２０Ｂは、第１撮影装置２０Ａとは仕様形態が異なる。放射線源制御部１０２は、第１ホストコンソール１６Ａにより設定された撮影条件に従って放射線源１０４を駆動制御する。
【００３５】
蓄積性蛍光体パネルＰは、照射された放射線Ｘのエネルギを蓄積する蓄積性蛍光体層を支持体上に形成したもので、励起光を照射することにより蓄積されたエネルギに応じた輝尽発光光を出力する一方、所定光量の消去光を照射することにより残存するエネルギを除去して再使用できるものである。
【００３６】
カセッテ１１０は、図２に示すように、蓄積性蛍光体パネルＰを蓋部材１１４を介して収脱可能に収納するもので、その外面部には、内部に収納されている蓄積性蛍光体パネルＰを個別に識別するための固有番号、サイズ、感度等の識別情報が記録されたバーコード１１６が装着される。バーコード１１６は、第２コンソール１８Ｂに接続された第２バーコードリーダ２６Ｂ、又は、第１ホストコンソール１６Ａに接続された第１バーコードリーダ２６Ａによって読み取ることができる。
【００３７】
蓄積性蛍光体パネルＰに記録された放射線画像情報は、図５に示すように構成される第１読取装置２２Ａによって読み取られる。なお、第１読取装置２２Ａは、第２撮影装置２０Ｂと共に、第２コンソール１８Ｂにより制御される。
【００３８】
第１読取装置２２Ａは、ケーシング１１８の上部に、カセッテ装填部１２０と、読取処理に必要な情報を表示する表示部１２３が配設される。カセッテ装填部１２０に形成された装填口１２２には、放射線画像情報が蓄積記録された蓄積性蛍光体パネルＰを収納したカセッテ１１０が装填される。装填口１２２に近接して、カセッテ１１０に配設されたバーコード１１６の識別情報を読み取るバーコードリーダ１２４と、カセッテ１１０の蓋部材１１４のロックを解除するロック解除機構１２６と、蓋部材１１４が開蓋されたカセッテ１１０から蓄積性蛍光体パネルＰを吸着して取り出す吸着盤１２８と、吸着盤１２８によって取り出された蓄積性蛍光体パネルＰを挟持搬送するニップローラ１３０とが配設される。
【００３９】
ニップローラ１３０に連設して、複数の搬送ローラ１３２ａ〜１３２ｇ及び複数のガイド板１３４ａ〜１３４ｆが配設され、これらにより湾曲搬送路１３６が構成される。湾曲搬送路１３６は、カセッテ装填部１２０から下方向に延在した後、最下部において略水平状態となり、次いで、略鉛直上方向に延在する。これにより、第１読取装置２２Ａの小型化が達成される。
【００４０】
ニップローラ１３０と搬送ローラ１３２ａとの間には、読取処理が終了した蓄積性蛍光体パネルＰに残存する放射線画像情報を消去するための消去部１３８が配設される。消去部１３８は、消去光を出力する冷陰極管等の消去光源１４０を有する。
【００４１】
湾曲搬送路１３６の最下部に配設される搬送ローラ１３２ｄ、１３２ｅ間には、プラテンローラ１４２が配設される。そして、プラテンローラ１４２の上部には、蓄積性蛍光体パネルＰに蓄積記録された放射線画像情報を読み取る走査ユニット１４４が配設される。
【００４２】
走査ユニット１４４は、励起光であるレーザビームＬＢを導出して蓄積性蛍光体パネルＰを走査する励起部１４６と、レーザビームＬＢによって励起されて出力される放射線画像情報に係る輝尽発光光を読み取る読取部１４８とを備える。
【００４３】
励起部１４６は、レーザビームＬＢを出力するレーザ発振器１５０と、レーザビームＬＢを蓄積性蛍光体パネルＰの主走査方向に偏向する回転多面鏡であるポリゴンミラー１５２と、レーザビームＬＢを反射させ、プラテンローラ１４２上を通過する蓄積性蛍光体パネルＰに導く反射ミラー１５４とを備える。
【００４４】
読取部１４８は、一端部がプラテンローラ１４２上の蓄積性蛍光体パネルＰに近接して配置される集光ガイド１５６と、集光ガイド１５６の他端部に連結され、蓄積性蛍光体パネルＰから得られた輝尽発光光を電気信号に変換するフォトマルチプライヤ１５８とを備える。なお、集光ガイド１５６の一端部には、輝尽発光光の集光効率を高めるための集光ミラー１６０が近接して配設される。フォトマルチプライヤ１５８によって読み取られた放射線画像情報は、該第１読取装置２２Ａ内に設置された画像処理部において画像処理（補正処理を含む）が行われるようになっている。読取部１４８からの放射線画像情報は、院内ネットワーク２４を介して第２コンソール１８Ｂに供給される。画像処理部からの放射線画像情報は、同じく院内ネットワーク２４を介して第２コンソール１８Ｂや他のコンソールに供給される。
【００４５】
なお、第３撮影装置、第４撮影装置及び第２読取装置は、上述した第１撮影装置、第２撮影装置及び第１読取装置とほぼ同様の構成を有するため、その重複説明を省略する。
【００４６】
そして、図３に示すように、第１ホストコンソール１６Ａの制御部２００（図６参照）は、院内ネットワーク２４を介して、ＲＩＳ１４、第１コンソール１８Ａ、第２コンソール１８Ｂ、第１撮影装置２０Ａ、第２撮影装置２０Ｂ、第１読取装置２２Ａ、並びに第２ホストコンソール１６Ｂ、第３コンソール１８Ｃ、第４コンソール１８Ｄ、第３撮影装置２０Ｃ、第４撮影装置２０Ｄ、第２読取装置２２Ｂとの間で必要な情報の送受信を行う。
【００４７】
第１ホストコンソール１６Ａは、図６に示すように、技師によって操作される入力操作部２０２と、ＲＩＳ１４で設定された撮影指示情報が格納される撮影指示情報メモリ２０４と、撮影指示情報メモリ２０４に記憶された撮影指示情報を、入力操作部２０２からの入力情報あるいは後述するコンソール選択部２０６からの情報に基づいて変更設定する変更設定部２０８と、各種パラメータが格納されるデータメモリ２１０とを有する。
【００４８】
また、第１ホストコンソール１６Ａは、第１撮影装置２０Ａ又は第１読取装置２２Ａにて取得した放射線画像情報あるいは補正要求のあったコンソールからの放射線画像情報に対する画像処理（補正処理を含む）を行う画像処理部２１２と、画像処理された放射線画像情報を記憶する画像メモリ２１４と、処理された放射線画像情報等を表示する表示部２１６と、補正要求があった場合に、処理された放射線画像情報を補正要求を発したコンソールに返送する返送部２１８とを備える。
【００４９】
なお、第２ホストコンソール１６Ｂの構成は、上述した第１ホストコンソール１６Ａとほぼ同様であるため、その重複説明を省略する。
【００５０】
第１コンソール１８Ａは、図７に示すように、院内ネットワーク２４を介してのデータの送受信を制御する第１制御部２２０と、技師によって操作される第１入力操作部２２２と、院内ネットワーク２４を通じて送られてきた撮影指示情報が格納される第１メモリ２２４と、第１撮影装置２０Ａにて取得した放射線画像情報あるいは補正要求のあったコンソールからの放射線画像情報に対する画像処理（補正処理を含む）を行う第１画像処理部２２６と、画像処理された放射線画像情報を記憶する第１画像メモリ２２８と、処理された放射線画像情報等を表示する第１表示部２３０と、補正要求があった場合に、処理された放射線画像情報を補正要求を発したコンソールに返送する第１返送部２３２とを備える。これは、第３コンソール１８Ｃにおいても同様である。
【００５１】
第２コンソール１８Ｂは、図８に示すように、院内ネットワーク２４を介してのデータの送受信を制御する第２制御部２３４と、技師によって操作される第１入力操作部２３６と、院内ネットワーク２４を通じて送られてきた撮影指示情報が格納される第２メモリ２３８と、第１読取装置２２Ａにて取得した放射線画像情報あるいは補正要求のあったコンソールからの放射線画像情報に対する画像処理（補正処理を含む）を行う第２画像処理部２４０と、画像処理された放射線画像情報を記憶する第２画像メモリ２４２と、処理された放射線画像情報等を表示する第２表示部２４４と、補正要求があった場合に、処理された放射線画像情報を補正要求を発したコンソールに返送する第２返送部２４６とを備える。これは、第４コンソール１８Ｄにおいても同様である。
【００５２】
また、図６に示すように、第１ホストコンソール１６Ａのコンソール選択部２０６は、撮影指示情報メモリ２０４に記憶された撮影指示情報において指定された撮影装置が使用可能状態でない場合に、使用可能状態である他の撮影装置を検索する第１検索部２４８と、検索部による検索処理が必要かどうかを判別する判別部２５０と、放射線画像情報に対する画像処理（補正処理等）を行うことができるコンソールを検索する第２検索部２５１とを有する。
【００５３】
ここで、「撮影指示情報において指定された撮影装置が使用可能状態でない」とは、判別部２５０にて、撮影装置が使用可能状態でないと判別された場合と、指定された撮影装置を、技師が入力操作部２０２を通じて使用しないことを示す入力を行った場合等がある。
【００５４】
判別部２５０は、例えば撮影指示情報によって指定されている撮影装置（第１撮影装置２０Ａ又は第２撮影装置２０Ｂ）を制御する処理装置（第１コンソール１８Ａ又は第２コンソール１８Ｂ）が、処理可能な状態にあるか否かを判定する。具体的には、撮影指示情報によって指定されている撮影装置が第１撮影装置２０Ａであれば、第１コンソール１８Ａに対して現在の状態情報を送るように指示する。状態情報は、第１コンソール１８Ａのオペレーティングシステムがシステム状態を参照してセット／リセットする例えばフラグ構成になっており、例えば０ビット目が「１」であれば、待機中である（ビジー状態にない）ことを示し、１ビット目が「１」であれば、第１コンソール１８Ａが第１撮影装置２０Ａを制御して撮影処理を行っている最中（ビジー状態）であって、次の撮影処理を直ちに実行できない処理状況にあることを示し、２ビット目が「１」であれば、第１コンソール１８Ａが第１撮影装置２０Ａ等から取得した放射線画像情報に対する画像処理を行っており、次の撮影処理を直ちに実行できない処理状況にあることを示し、３ビット目が「１」であれば、第１コンソール１８Ａ又はそれによって制御される第１撮影装置２０Ａが故障状況にあることを示す。これは、第２コンソール１８Ｂ〜第４コンソール１８Ｄにおいても同様である。
【００５５】
従って、判別部２５０は、第１コンソール１８Ａから送られてきた状態情報を参照して、０ビット目以外のビットが「１」となっていれば、第１コンソール１８Ａは処理不可能な状態にあると判定し、第１検索部２４８を起動する。
【００５６】
また、判別部２５０は、入力操作部２０２からの入力データを監視し、技師が入力操作部２０２を通じて、指示された撮影装置を使用しないことを示す入力を行った場合に、第１検索部２４８を起動する。
【００５７】
第１検索部２４８は、撮影指示情報に従った撮影処理が可能で、且つ、処理可能な状態にある他の処理装置を検索する。撮影指示情報に従った撮影処理が可能な撮影装置としては、例えば胸部撮影や腹部撮影、あるいは四肢撮影の場合、蓄積性蛍光体パネルＰを有するカセッテ１１０、放射線変換パネル７０を有するカセッテ、立位タイプの撮影装置、臥位タイプの撮影装置であれば、対応可能である。マンモの撮影であれば、マンモの撮影に適した専用の撮影装置のみとなる。
【００５８】
すなわち、第１検索部２４８は、第２撮影装置２０Ｂ、第３撮影装置２０Ｃ及び第４撮影装置２０Ｄのうち、撮影指示情報に従った撮影処理が可能な撮影装置を制御するコンソールに対して現在の状態情報を送るように指示する。第１検索部２４８は、該当するコンソールから送られてきた状態情報のうち、０ビット目が「１」となっている１以上のコンソールの情報を変更設定部２０８に供給すると共に、表示部２１６にリスト表示する。
【００５９】
そして、変更設定部２０８は、データメモリ２１０に予めコンソールの優先度を登録したテーブルが記憶されていれば、検索された１以上のコンソールのうち、最も優先度の高いコンソールを選択する。選択されたコンソールの情報は、変更設定部２０８によって撮影指示情報に反映される。その反映された撮影指示情報は、制御部２００を介して選択されたコンソールに向けて送信される。選択されたコンソールが読取装置からの放射線画像情報を画像処理する場合は、対応する読取装置にも撮影指示情報が送信される。
【００６０】
もちろん、技師がコンソールを選択するようにしてもよい。例えば技師は、リスト表示されている１以上のコンソールの情報のうち、１つのコンソールを選択し、その情報を入力操作部２０２を介して入力する。入力された情報は、変更設定部２０８によって撮影指示情報に反映される。その反映された撮影指示情報は、選択されたコンソールに向けて送信される。この場合も、選択されたコンソールが読取装置からの放射線画像情報を画像処理する場合は、対応する読取装置にも撮影指示情報が送信される。このように、技師が選択する場合、コンソールの選択にあたって、患者にとって負担が軽い撮影装置に対応するコンソールを選択する等、様々な状況に対応させることが可能となる。例えば撮影部位が胸部であるが、例えば、車椅子を使用する被写体５０の場合、図２に示す形態からなる第１撮影装置２０Ａでは、撮影台１０８に対して被写体５０を位置決めできないおそれがある。この場合、車椅子を使用する被写体５０に対応することのできる撮影装置が院内ネットワーク２４に接続され、その撮影装置に対応するコンソールがリスト表示されていれば、技師はそのコンソールを選択することとなる。
【００６１】
また、検索されたコンソールが複数存在していれば、検索された複数のコンソールを選択するようにしてもよい。同一の被写体５０に対して、一部の撮影を第１撮影装置２０Ａで行い、残りの撮影を第２撮影装置２０Ｂで行うこともあり得るからである。この場合、変更設定部２０８は、技師による入力操作部２０２を介して入力される情報を撮影指示情報に反映する。反映された撮影指示情報は、制御部２００を介して選択された複数のコンソールに向けて送信される。選択された複数のコンソールのうち、読取装置からの放射線画像情報を画像処理する場合は、対応する読取装置にも撮影指示情報が送信される。
【００６２】
さらに、第１コンソール１８Ａ、第２コンソール１８Ｂ及び第１読取装置２２Ａは、第１画像処理部２２６、第２画像処理部２４０及び第１読取装置２２Ａでの前回の放射線画像情報に対する補正処理が進行中である等、第１撮影装置２０Ａ及び第１読取装置２２Ａにて取得した今回の放射線画像情報に対する補正処理ができない場合に、第１ホストコンソール１６Ａに対して検索要求を出力する。
【００６３】
これは、第３コンソール１８Ｃ、第４コンソール１８Ｄ及び第２読取装置２２Ｂにおいても同様であり、第１画像処理部２２６、第２画像処理部２４０及び第２読取装置２２Ｂでの前回の放射線画像情報に対する補正処理が進行中である等、第３撮影装置２０Ｃ及び第２読取装置２２Ｂにて取得した今回の放射線画像情報に対する補正処理ができない場合に、第２ホストコンソール１６Ｂに対して検索要求を出力する。
【００６４】
例えば第１ホストコンソール１６Ａのコンソール選択部２０６は、例えば第１コンソール１８Ａからの検索要求があった場合に、第２検索部２５１を起動する。第２検索部２５１は、第１コンソール１８Ａを除く、他のコンソール（第１ホストコンソール１６Ａ及び第２ホストコンソール１６Ｂを含む）並びに第１読取装置２２Ａ及び第２読取装置２２Ｂに対して現在の状態情報を送るように指示する。他のコンソール並びに第１読取装置２２Ａ及び第２読取装置２２Ｂから送られてきた状態情報のうち、画像処理中を示す２ビットと、故障を示す３ビットとが共に「０」となっている１以上のコンソール（及び読取装置）を検索する。検索されたコンソールや読取装置が複数存在する場合は、検索されたコンソール及び読取装置のうち、０ビットが「１」となっているコンソール及び読取装置（待機中）を選択する。待機中のコンソール及び読取装置が複数あれば、データメモリ２１０に予めコンソールの優先度を参照して１つのコンソール（例えば第３コンソール１８Ｃ）や１つの読取装置（例えば第１読取装置２２Ａ）を選択する。選択したコンソール（あるいは読取装置）の情報は、送信元である第１コンソール１８Ａに送られる。第１コンソール１８Ａの第１制御部２２０は、入手したコンソールの情報に基づいて該コンソール（例えば第３コンソール１８Ｃ）又は読取装置に向けて放射線画像情報と第１撮影装置２０Ａの仕様情報を送信する。選択されたコンソール（又は読取装置）では、第１コンソール１８Ａからの放射線画像情報と第１撮影装置２０Ａの仕様情報を受け取り、その後、画像処理部で、第１撮影装置２０Ａの仕様に応じた画像処理（補正処理）を施した後、第１コンソール１８Ａに返送する。第１コンソール１８Ａでは、必要に応じて放射線画像を表示させて確認した後、院内ネットワーク２４を介してビューア１５に送信する。医師は、ビューア１５に送信された放射線画像情報に基づき、必要な読影診断を行う。
【００６５】
上述の例では、通常は、第１コンソール１８Ａで行われる補正処理を第３コンソール１８Ｃ（又は第１読取装置２２Ａ）で行った場合を示したが、その他、様々な組み合わせが考えられ、例えば第１コンソール１８Ａで行われる補正処理を、第２コンソール１８Ｂ、第１ホストコンソール１６Ａ、第２ホストコンソール１６Ｂ、第４コンソール１８Ｄ又は第２読取装置２２Ｂで行うようにしてもよい。これは、第３コンソール１８Ｃや第４コンソール１８Ｄでも同様である。
【００６６】
院内ネットワーク２４には、さらに、他の仕様形態の撮影装置、例えば、ＣＴ装置、ＭＲ装置を接続することができるとともに、これらの撮影装置を制御するコンソール（処理装置）を接続することができる。
【００６７】
本実施形態の放射線画像撮影システム１０は、基本的には以上のように構成されるものであり、次にその動作について説明する。
【００６８】
先ず、ＨＩＳ１２を用いて、患者の氏名、性別、年齢等の患者情報が設定され、次いで、当該患者情報に関連させて、放射線画像の撮影方法、撮影部位、撮影に使用する撮影装置等の撮影指示情報がＲＩＳ１４を用いて設定される。
【００６９】
放射線科に設置されている例えば第１ホストコンソール１６Ａの制御部２００は、院内ネットワーク２４を介して、ＲＩＳ１４から患者情報及び撮影指示情報を取得する。また、技師は、第１ホストコンソール１６Ａの入力操作部２０２を用い、必要に応じて撮影指示情報の変更、設定を行う。例えばＲＩＳ１４を用いて医師が設定した撮影装置を、撮影部位や患者の状態に対応した撮影装置に変更する。変更設定部２０８は、取得した患者情報及び撮影指示情報、又は、変更若しくは新たに設定された撮影指示情報を一旦撮影指示情報メモリ２０４に記憶させる。
【００７０】
具体的には、ＲＩＳ１４を用いて医師が選択した撮影装置が第１撮影装置２０Ａであるところ、例えば、被写体５０が車椅子を使用しており、第１撮影装置２０Ａを用いた撮影ができない場合を想定する。この場合、技師は、第１ホストコンソール１６Ａの表示部２１６に表示されている使用可能なコンソールの情報から被写体５０にとって負担の軽い撮影装置（蓄積性蛍光体パネルＰを有するカセッテ１１０等）に対応するコンソール（例えば第２コンソール１８Ｂ）を選択する。そして、技師は、車椅子と被写体５０との間にカセッテ１１０を挟み込み、第２撮影装置２０Ｂを構成する放射線源１０４を用いた撮影処理を行うため、撮影指示情報を変更する。
【００７１】
また、他の例としては、医師が第２撮影装置２０Ｂを指定しているところ、第２撮影装置２０Ｂが調整中等の理由によって使用できない場合、技師は、代替機として第４撮影装置２０Ｄを用いた撮影処理を行うように、撮影指示情報を、第２撮影装置２０Ｂを用いた撮影処理から、第４撮影装置２０Ｄを用いた撮影処理に変更する。
【００７２】
次いで、第１ホストコンソール１６Ａの制御部２００は、撮影指示情報メモリ２０４から患者情報及び撮影指示情報を読み出し、コンソール選択部２０６にて選択したコンソールに向けて患者情報及び撮影指示情報を送信する。
【００７３】
また、同一の被写体５０に対して、一部の撮影を第１撮影装置２０Ａで行い、残りの撮影を第２撮影装置２０Ｂで行うこともあり得る。この場合、コンソール選択部２０６は、撮影部位に係る撮影指示情報に従い、該当するコンソールを選択し、各コンソールに対して選択された患者情報及び撮影指示情報を送信する。
【００７４】
患者情報及び撮影指示情報が送信されたコンソールは、撮影指示情報に従い、管理下にある撮影装置を用いた放射線画像の撮影処理を遂行する。
【００７５】
ここで、先ず、第２コンソール１８Ｂを用いて第２撮影装置２０Ｂを制御し、被写体５０の撮影処理を行う場合について説明する。なお、第２撮影装置２０Ｂが選択された場合、撮影台１０８の側部に配設された表示部１１３に選択されたことを表示させることにより、技師は、被写体５０を確実に第２撮影装置２０Ｂに誘導して撮影処理を行うことができる。
【００７６】
第１ホストコンソール１６Ａから患者情報及び撮影指示情報を受信した第２コンソール１８Ｂは、第２撮影装置２０Ｂの放射線源制御部１０２に対し、撮影指示情報に含まれる撮影条件である管電圧、管電流及び放射線の照射時間を設定する。
【００７７】
一方、技師は、第２コンソール１８Ｂに接続された第２バーコードリーダ２６Ｂを用いて、カセッテ１１０に装着されたバーコードを読み取ることにより、カセッテ１１０に収納されている蓄積性蛍光体パネルＰを識別するための固有番号、サイズ、感度等の識別情報を取得する。
【００７８】
次いで、カセッテ１１０を第２撮影装置２０Ｂのスロット１１２に装填した後、図示しない曝射スイッチを操作し、撮影を開始する。放射線源制御部１０２は、設定された撮影条件に従って放射線源１０４を駆動制御し、放射線Ｘを被写体５０に照射する。被写体５０を透過した放射線Ｘは、カセッテ１１０に収納されている蓄積性蛍光体パネルＰに照射される。この結果、蓄積性蛍光体パネルＰに被写体５０の放射線画像情報が蓄積記録される。
【００７９】
放射線画像情報が記録された蓄積性蛍光体パネルＰを収納するカセッテ１１０は、第２撮影装置２０Ｂから抜き取られた後、第１読取装置２２Ａのカセッテ装填部１２０に装填される。この場合、第１読取装置２２Ａによる読取処理に移行することは、カセッテ装填部１２０に配設された表示部１２３に読取装置２６が選択されたことを表示させることで、確実に認識することができる。
【００８０】
カセッテ１１０が装填されると、カセッテ装填部１２０に配設されているバーコードリーダ１２４がカセッテ１１０に装着されたバーコードを読み取り、蓄積性蛍光体パネルＰの固有番号、サイズ、感度等の識別情報を取得する。取得した識別情報は、第２コンソール１８Ｂに接続された第２バーコードリーダ２６Ｂによって取得した識別情報と照合されることで、被写体５０と放射線画像情報との対応関係が確認される。
【００８１】
識別情報が読み取られると、ロック解除機構１２６が駆動され、蓋部材１１４のロック状態が解除されて開蓋される。次いで、吸着盤１２８が蓄積性蛍光体パネルＰを吸着し、カセッテ１１０から蓄積性蛍光体パネルＰを取り出してニップローラ１３０間に供給する。ニップローラ１３０により挟持された蓄積性蛍光体パネルＰは、搬送ローラ１３２ａ〜１３２ｇ及びガイド板１３４ａ〜１３４ｆからなる湾曲搬送路１３６を介して、走査ユニット１４４の下部に搬送される。
【００８２】
蓄積性蛍光体パネルＰは、搬送ローラ１３２ｄ及び１３２ｅにより略水平方向に副走査搬送される。一方、励起部１４６を構成するレーザ発振器１５０から出力されたレーザビームＬＢは、高速で回転するポリゴンミラー１５２によって反射偏向された後、反射ミラー１５４を介して下面部がプラテンローラ１４２により支持された蓄積性蛍光体パネルＰに導かれ、蓄積性蛍光体パネルＰを主走査する。
【００８３】
蓄積性蛍光体パネルＰは、レーザビームＬＢが照射されることで励起され、蓄積記録されている放射線画像情報に応じた輝尽発光光を出力する。この輝尽発光光は、蓄積性蛍光体パネルＰの主走査方向に沿って近接配置された集光ガイド１５６の下端部に直接入射し、あるいは、集光ミラー１６０を介して入射する。集光ガイド１５６に入射した輝尽発光光は、内部で反射を繰り返し、上端部のフォトマルチプライヤ１５８に導かれる。フォトマルチプライヤ１５８は、入射した輝尽発光光を電気信号に変換し、これによって、蓄積性蛍光体パネルＰに蓄積記録されている放射線画像情報が読み取られる。
【００８４】
走査ユニット１４４によって読み取られた放射線画像情報は、院内ネットワーク２４を介して第２コンソール１８Ｂに送信される。第２コンソール１８Ｂは、受信した放射線画像情報に対して第２撮影装置２０Ｂの仕様に応じた画像処理を施し、必要に応じて放射線画像を表示させて確認した後、院内ネットワーク２４を介してビューア１５に送信する。医師は、ビューア１５に送信された放射線画像情報に基づき、必要な読影診断を行う。なお、第２コンソール１８Ｂが既に受信している放射線画像情報の画像処理を行っている場合、第１ホストコンソール１６Ａのコンソール選択部２０６は、処理可能な他の処理装置を検索し、第２撮影装置２０Ｂにより取得した放射線画像情報を検索した他のコンソールに送信して画像処理を行わせる。
【００８５】
次に、第１コンソール１８Ａを用いて第１撮影装置２０Ａを制御し、被写体５０の撮影を行う場合について説明する。なお、第１撮影装置２０Ａが選択された場合、撮影台６０の上部に配設された表示部６２に選択されたことを表示させることにより、技師は、被写体５０を確実に第１撮影装置２０Ａに誘導して撮影処理を行うことができる。
【００８６】
第１ホストコンソール１６Ａから患者情報及び撮影指示情報を受信した第１コンソール１８Ａは、第１撮影装置２０Ａの放射線源制御部６６に対し、撮影指示情報に含まれる撮影条件である管電圧、管電流及び放射線の照射時間を設定する。
【００８７】
次いで、撮影台６０の所定位置に被写体５０を位置決めした後、図示しない曝射スイッチを操作することにより、撮影を開始する。放射線源制御部６６は、設定された撮影条件に従って放射線源６４を駆動制御し、放射線Ｘを被写体５０に照射する。被写体５０を透過した放射線Ｘは、放射線変換パネル７０に照射される。
【００８８】
放射線変換パネル７０（図４参照）を構成する各画素７８の光電変換層７２は、入射した放射線Ｘを電気信号に変換し、その電気信号が蓄積容量７６に電荷として保持される。次いで、各蓄積容量７６に保持された被写体５０の放射線画像情報である電荷情報は、制御部１００からライン走査駆動部８４及びマルチプレクサ８６に供給されるアドレス信号に従って読み出される。
【００８９】
すなわち、ライン走査駆動部８４のアドレスデコーダ８８は、制御部１００から供給されるアドレス信号に従って選択信号を出力してスイッチＳＷ１の１つを選択し、対応するゲート線８０に接続されたＴＦＴ７４のゲートに制御信号Ｖｏｎを供給する。一方、マルチプレクサ８６のアドレスデコーダ９６は、制御部１００から供給されるアドレス信号に従って選択信号を出力してスイッチＳＷ２を順次切り替え、ライン走査駆動部８４によって選択されたゲート線８０に接続された各画素７８の蓄積容量７６に保持された電荷情報である放射線画像情報を信号線８２を介して順次読み出す。
【００９０】
放射線変換パネル７０の選択されたゲート線８０に接続された各画素７８の蓄積容量７６から読み出された放射線画像情報は、各増幅器９２によって増幅された後、各サンプルホールド回路９４によってサンプリングされ、マルチプレクサ８６を介してＡ／Ｄ変換器９８に供給され、デジタル信号に変換される。デジタル信号に変換された放射線画像情報は、制御部１００により院内ネットワーク２４を介して第１コンソール１８Ａに送信される。
【００９１】
同様にして、ライン走査駆動部８４のアドレスデコーダ８８は、制御部１００から供給されるアドレス信号に従ってスイッチＳＷ１を順次切り替え、各ゲート線８０に接続されている各画素７８の蓄積容量７６に保持された電荷情報である放射線画像情報を信号線８２を介して読み出し、マルチプレクサ８６、Ａ／Ｄ変換器９８及び制御部１００を介して第１コンソール１８Ａに送信される。
【００９２】
第１コンソール１８Ａは、受信した放射線画像情報に対して第１撮影装置２０Ａの仕様に応じた画像処理を施し、必要に応じて放射線画像を表示させて確認した後、院内ネットワーク２４を介してビューア１５に送信する。医師は、ビューア１５に送信された放射線画像情報に基づき、必要な読影診断を行う。なお、第１コンソール１８Ａが既に受信している放射線画像情報の画像処理を行っている場合、第１ホストコンソール１６Ａのコンソール選択部２０６は、処理可能な他の処理装置を検索し、第１撮影装置２０Ａにより取得した放射線画像情報を検索した他の処理装置に送信して画像処理を行わせる。
【００９３】
このように、本実施の形態に係る放射線画像撮影システムは、撮影指示情報の共有化を図ることができ、医師がＲＩＳのオーダ情報として指示した作業が実施不適な場合に、現場での状況に応じて技師（オペレータ）側で容易に変更することができる。
【００９４】
また、放射線画像情報に対する画像処理の共有化も図ることができ、撮影装置にて取得した放射線画像情報に対する補正処理を、該撮影装置に対応する処理装置のほか、他の処理装置でも行うことができ、撮影装置と処理装置の組み合わせが複数になっても、補正処理の待ち時間を大幅に短縮することができる。
【００９５】
従って、本実施の形態に係る放射線画像撮影システム１０においては、撮影作業を現場での状況に合わせて適切に、且つ、迅速に進めることができる。これは、撮影開始までの待ち時間や撮影後の処理時間の短縮化を有効に図ることができることにつながり、患者等への負担を軽減させる上でも有利である。
【００９６】
上述の例では、固体撮像素子の放射線変換パネル７０を用いた例えば立位タイプの第１撮影装置２０Ａを制御する第１コンソール１８Ａと、蓄積性蛍光体パネルＰを有するカセッテ１１０に対応した第２撮影装置２０Ｂを制御する第２コンソール１８Ｂとが混在したシステムを制御する第１ホストコンソール１６Ａと、放射線変換パネル７０を用いた例えば立位タイプの第３撮影装置２０Ｃを制御する第３コンソール１８Ｃと、蓄積性蛍光体パネルＰを有するカセッテに対応した第４撮影装置２０Ｄを制御する第４コンソール１８Ｄとが混在したシステムを制御する第２ホストコンソール１６Ｂとを有する例について説明したが、その他、以下のようなシステムにも容易に適用することができる。
【００９７】
すなわち、図９に示すように、第１ホストコンソールと、蓄積性蛍光体パネルを有するカセッテに対応した第５撮影装置を制御する第５コンソール（第５バーコードリーダ２６Ｅを有する）と、第５撮影装置２０Ｅにより撮影された放射線画像情報を読み取る第３読取装置２２Ｃとを具備した第１の変形例に係る放射線画像撮影システム１０ａや、図１０に示すように、第１ホストコンソール１６Ａと、放射線変換パネル７０を用いた例えば立位タイプの第６撮影装置２０Ｆを制御する第６コンソール１８Ｆとを具備した第２の変形例に係る放射線画像撮影システム１０ｂにも容易に適用することができる。もちろん、３つ以上のホストコンソールを有するシステムや、これらが混在したシステムにも適用させることができる。
【００９８】
なお、本発明は、上述した実施形態に限定されるものではなく、本発明の主旨を逸脱しない範囲で自由に変更できることは勿論である。
【００９９】
例えば第２コンソール１８Ｂ、第３コンソール１８Ｃ又は第４コンソール１８Ｄが選択されたことを第１ホストコンソール１６Ａの表示部２１６や第２ホストコンソール１６Ｂの表示部に表示させる代わりに、選択されたコンソールの表示部に表示させるようにしてもよい。
【０１００】
また、第１撮影装置２０Ａには、図４に示す固体撮像素子からなる放射線変換パネル７０を内蔵した例を示したが、その他、第１撮影装置２０Ａに、蓄積性蛍光体パネルＰと、蓄積性蛍光体パネルＰに記録された放射線画像情報を読み取る読取部とを内蔵して構成することもできる。この場合、第２撮影装置２０Ｂを用いて撮影を行った後、第１読取装置２２Ａによる読取処理と並行して、第１撮影装置２０Ａによる撮影処理及び読取処理を行うことにより、放射線画像情報を効率的に取得することができる。
【０１０１】
また、固体撮像素子からなる放射線変換パネル７０を第２撮影装置２０Ｂに適用することもできる。この場合においても、第２撮影装置２０Ｂによる撮影処理に次いで、当該放射線変換パネル７０からの放射線画像情報の読取処理と並行して、第１撮影装置２０Ａを用いた撮影処理を行うことにより、放射線画像情報を効率的に取得することができる。
【図面の簡単な説明】
【０１０２】
【図１】本実施の形態に係る放射線画像撮影システムを示す構成図である。
【図２】本実施の形態に係る放射線画像撮影システムを示す模式的説明図である。
【図３】放射線画像撮影システムの構成を、第１撮影装置及び第２撮影装置の概略構成と共に示す構成ブロック図である。
【図４】放射線変換パネルの構成を示す回路構成図である。
【図５】第１読取装置（第１読取装置）を示す構成図である。
【図６】第１ホストコンソール（第２ホストコンソール）を示す構成ブロック図である。
【図７】第１コンソール（第３コンソール）を示す構成ブロック図である。
【図８】第２コンソール（第４コンソール）を示す構成ブロック図である。
【図９】第１の変形例に係る放射線画像撮影システムを示す構成図である。
【図１０】第２の変形例に係る放射線画像撮影システムを示す構成図である。
【符号の説明】
【０１０３】
１０、１０ａ、１０ｂ…放射線画像撮影システム
１２…ＨＩＳ
１４…ＲＩＳ
１６Ａ…第１ホストコンソール
１６Ｂ…第２ホストコンソール
１８Ａ〜１８Ｆ…第１コンソール〜第６コンソール
２０Ａ〜２０Ｆ…第１撮影装置〜第６撮影装置
２２Ａ〜２２Ｃ…第１読取装置〜第３読取装置
２４…ネットワーク
７０…放射線変換パネル
１１０…カセッテ
２０４…撮影指示情報メモリ
２０６…コンソール選択部
２０８…変更設定部
２１８…返送部
２４８…第１検索部
２５０…判別部
２５１…第２検索部
【図１】
2009247454.tif 000003
【図２】
2009247454.tif 000004
【図３】
2009247454.tif 000005
【図４】
2009247454.tif 000006
【図５】
2009247454.tif 000007
【図６】
2009247454.tif 000008
【図７】
2009247454.tif 000009
【図８】
2009247454.tif 000010
【図９】
2009247454.tif 000011
【図１０】
2009247454.tif 000012